(57)【要約】【課題】  風量によって風の流れ方向が変化しても、発生したイオンを効率よく空気中に吹き出すことができるイオン発生機能付電気機器を提供する。【解決手段】イオン発生装置７は、ファン４と吹出口６との間に配されており、イオン発生素子２０と、回動板２３と、回動モータ２４とを有する。イオン発生素子２０は、イオン発生のための放電パターンが所定方向に形成された放出面２２を有する。イオン発生装置７は、送風路２７に流れる風の流れに応じてイオン発生素子２０が回動し、イオン発生素子２０に対して直交するように風が流れる。【選択図】図５
2007029497.tif 000002
【特許請求の範囲】
【請求項１】
イオン発生素子が発生させたイオンを送風によって空気中に吹き出すイオン発生機能付電気機器であって、前記イオンを空気中に吹き出す送風路に前記イオン発生素子が設けられ、前記イオン発生素子の位置と前記送風路を流れる風の流れ方向とを相対的に変化させる可変手段を備えたことを特徴とするイオン発生機能付電気機器。
【請求項２】
イオン発生素子は、送風路に移動自在に設けられ、可変手段は、風の流れに応じて前記イオン発生素子を移動させることを特徴とする請求項１に記載のイオン発生機能付電気機器。
【請求項３】
イオン発生素子は、風の流れ方向に沿って向きを変えることを特徴とする請求項２に記載のイオン発生機能付電気機器。
【請求項４】
イオン発生素子は、イオン発生のための放電パターンが所定方向に形成された放出面を有し、可変手段は、風の流れが所定方向の前記放電パターンに直交するように前記イオン発生素子を回動させることを特徴とする請求項２または３に記載のイオン発生機能付電気機器。
【請求項５】
イオン発生素子は、放出面が送風路を形成する壁面と平行となるように前記送風路に配され、可変手段は、イオン発生素子を前記壁面に直交する軸周りに回動することを特徴とする請求項４に記載のイオン発生機能付電気機器。
【請求項６】
送風路が湾曲して形成され、風量によって前記風の流れ方向が変化し、可変手段は、風量から前記風の流れ方向を判断することを特徴とする請求項２〜５に記載のイオン発生機能付電気機器。
【請求項７】
可変手段は、イオン発生素子に対して一定方向から風が流れるように、前記風の流れを規制する規制部材とされ、前記規制部材は、前記イオン発生素子よりも風の流れ方向上流側に設けられたことを特徴とする請求項１に記載のイオン発生機能付電気機器。
【発明の詳細な説明】
【技術分野】
【０００１】
本発明は、イオンを空気中に吹き出するイオン発生機能付電気機器に関する。なお、イオン発生機能付電気機器としては、例えば、空気清浄機、空気調和機、除湿器、加湿器、冷蔵庫、ファンヒータ、電子レンジ、洗濯乾燥機、掃除機、殺菌装置等を挙げることができる。
【背景技術】
【０００２】
一般に、換気が少ない密閉された部屋、事務所、会議室等においては、人が多い場合、呼吸と共に排出される二酸化炭素、煙草の煙、埃等の汚染微粒子が増加する。この場合、人体にとって好ましくない有害物質が空気中に発散するので、この濃度を低く押えるために、イオン発生装置を備えた空気清浄機を使用している。この空気清浄機から吹き出されるイオン（正イオン・負イオン）によって、空気中に浮遊する細菌を除去したり、ウイルスを不活化する。
【０００３】
送風によって空気清浄機から吹き出されるイオンを効率よく空気中に吹き出すために、特許文献１では、放電面を有するイオン発生素子を空気の流路に対して傾斜させ、放電面に接触して流れる空気よってイオンを運び去る量を増加させたものが開示されている。
【特許文献１】特開２００４−３５３９７７
【発明の開示】
【発明が解決しようとする課題】
【０００４】
空気清浄機等では、イオン発生素子から発生したイオンを吹き出す風は、運転状態に応じて風量を変更される。風量が変わると、風の流れ方向が変化する。風の流れの変化に対して、特許文献１のようにイオン発生素子が固定されていると、正イオンと負イオンとが発生する場合、風の流れ方向によっては正イオンと負イオンとがぶつかり、中和されてしまう。すると、吹き出されるイオンが減り、殺菌効果が低下してしまう。
【０００５】
そこで、本発明は、上記に鑑み、風の流れ方向が変化しても、発生したイオンを効率よく空気中に吹き出すことができるイオン発生機能付電気機器を提供することを目的とする。
【課題を解決するための手段】
【０００６】
上記目的を達成するために、本発明は、イオン発生素子が発生させたイオンを送風によって空気中に吹き出すイオン発生機能付電気機器であって、前記イオンを空気中に吹き出す送風路に前記イオン発生素子が設けられ、前記イオン発生素子の位置と前記送風路を流れる風の流れ方向とを相対的に変化させる可変手段を備えたことを特徴とする。
【０００７】
イオン発生素子の位置と風の流れ方向とが相対的に変化するとは、送風路内を流れる風がイオン発生素子に対して一定方向から当たるように、イオン発生素子の位置が変化する、および／または、風の流れ方向が変化することである。すなわち、可変手段は、イオン発生素子の位置、あるいは、風の流れ方向のいずれか一方あるいは両方を変化させる。風の流れが変わっても、イオン発生素子に対して一定方向から風を当てることができる。
【０００８】
風量の変化等によって、送風路内を流れる風の流れ方向が変化する場合、送風路に移動自在に設けられたイオン発生素子が風の流れに応じて移動する。例えば、イオン発生素子が向きを変えたり、異なる位置に移動することにより、イオン発生素子の位置は変化する。
【０００９】
また、イオン発生素子の位置が変化しない場合、送風路に風の流れを規制するための規制部材を設ける。規制部材は、風の流れ方向が変化したとき、風が常にイオン発生素子に対して一定方向に流れるように風の流れ方向を規制する。なお、この規制とは、風の流れを止めることや風の流れ方向を変えることである。
【００１０】
イオン発生素子は、イオン発生のための放電パターンが所定方向に形成された放出面を有し、この放出面が送風路を形成する壁面と平行となるように、送風路に配される。放電パターンの所定方向と風の流れ方向とが直交することにより、イオン発生素子に対して風が一定方向から当たる。そこで、イオン発生素子が回動したり、規制手段により風の流れを変える。
【００１１】
イオンは、放電パターンに沿って発生する。イオン発生素子の放電パターンの所定方向と風の流れ方向とが直交すると、放出面に接触して流れる風が、放電パターンの所定方向に沿って発生するイオンを効率よく払拭して運び去ることができる。ところが、風の流れ方向が所定方向に対して平行の場合、風が放出面から発生したイオン（正イオン・負イオン）を払拭して運び去る際に、上流側で発生した正イオンと負イオンが下流側で発生した正イオンと負イオンにぶつかって中和してしまう。イオンが発生しても、空気中に吹き出されるイオン量は少なくなり、効率的でない。
【００１２】
したがって、放出面を流れる風が、放電パターンの所定方向に対して直交するようにイオン発生素子を回動することで、空気中にイオンを多く吹き出すことができ、殺菌効果が高まる。
【００１３】
イオン発生素子は、風の流れ方向に応じて向きを変える。可変手段は、風の流れ方向を判断して、イオン発生素子を移動させ、イオン発生素子の向きが風の流れ方向に対して一定方向になるようにする。送風路が湾曲して形成されているとき、風量によって風の流れ方向が変化する。
【００１４】
送風機から吹き出される風量が少ない場合、その風は、送風路を形成する壁面に向かって流れる。壁面に向かった風は、その壁面に当たり、そのまま壁面に沿って送風路の出口に向かって流れる。すなわち、風量が少ない場合、風の流れ方向は、イオン発生素子に対して斜めとなる。風量が多い場合、送風機から吹き出された風は、そのまま送風路の出口側に真直ぐに流れる。すなわち、風量が多い場合、風の流れ方向は、イオン発生素子に対して真直ぐとなる。
【００１５】
そこで、可変手段は、風量を検知することによって風の流れ方向を判断する。運転モードに応じて風の強弱が変わることにより、運転モードを検知すれば、風量を検知できる。なお、可変手段は、風の流れを直接検出して判断してもよい。そして、可変手段は、風量に応じて、イオン発生素子を回動し、常にイオン発生素子に対して一定方向から風が流れるようにする。
【発明の効果】
【００１６】
以上のように、本発明によると、運転モード等によって変更された風量によって風の流れ方向が変化しても、イオン発生素子が常に風の流れ方向と一定の位置関係を保つことができる。したがって、放出面から発生したイオンを減少させることなく効率よく払拭して運び去ることができ、空気中に大量のイオンを吹き出すことができる。
【発明を実施するための最良の形態】
【００１７】
〔第１実施形態〕
以下、本発明のイオン発生機能付電気機器の第１実施形態であるイオン発生装置を搭載した空気清浄機の実施形態を図１〜図３に示す。
【００１８】
図中、１はキャビネット、２は前板、３はフィルタ、４は送風機のファン、５はファンモータ、６は吹出口、７はイオン発生装置、８はベース、９は操作部である。
【００１９】
キャビネット１は、前後に２分割され、キャビネット１の前面を覆うように、前板２が設けられている。キャビネット１の前側には、フィルタ３を収納する収納部１０が配されている。収納部１０は、前面が開口した凹部として形成され、収納部１０の背面に、吸い込んだ空気の通過孔が放射状に形成されている。そして、背面の通過孔の中央部分に送風機が取り付けられている。
【００２０】
前板２は、キャビネット１の前面から一定の隙間をあけて配されている。前板２の中央に、上下方向に前面吸込口１１が形成され、前板２とキャビネット１との四方の隙間が側面吸込口１２とされる。したがって、キャビネット１の前面から内部に空気が吸い込まれる。
【００２１】
フィルタ３は、プレフィルタ、脱臭フィルタ、集塵フィルタの３種類から構成される。吸込口側からプレフィルタ、脱臭フィルタ、集塵フィルタの順に配置され、着脱自在に装着されている。
【００２２】
プレフィルタは、空気の通過抵抗の大きいポリプロピレン製とされ、室内から吸い込んだ空気中の塵や埃等の大きい異物を捕集する。脱臭フィルタは、長方形をした外周枠に、上面と下面にポリエステルの不織布を接着し、上面と下面の不織布の間に活性炭を均一に入れたものであり、空気中の臭いの成分のアセトアルデヒド、アンモニア、酢酸等を吸着する。集塵フィルタは、トレミクロン、骨材を含浸した瀘材を折りたたんだ状態でＨＡＰシートを上側と下側に熱圧着したものを枠材に挿入し、枠材を溶着した構造とされ、空気中の塵や埃を捕集する。
【００２３】
このようなフィルタ構成において、プレフィルタにより、室内から吸い込んだ空気中の塵や埃を捕集し、脱臭フィルタにより、空気中の臭いの成分であるアセトアルデヒド、アンモニア、酢酸等を吸着し、最後に集塵フィルタにより、プレフィルタを通過した微細な塵や埃を捕集する。したがって、フィルタを通過した空気は臭いや塵、埃のない清浄な空気となる。
【００２４】
キャビネット１の背面側に送風機が配され、送風機はフィルタ３の下流側に位置する。送風機は、ファン４と、ファン４を駆動するファンモータ５と、ファン４を軸支したケーシング２１とから構成する。なお、ファン４は、ターボファンとされる。またケーシング２１は、図４に示すように、その上面側に開口部２８を有する。
【００２５】
吹出口６は、キャビネット１の上面の背面側に位置している。吹出口６には、ルーバが設けられ、吹き出す空気の向きを変えることができる。送風機を駆動することにより、吸込口１１、１２からフィルタ３を通じて吸い込んだ空気は、吹出口６から上方に向かって吹き出される。なお、図示しないが、キャビネット１の前面上部にも前吹出口が設けられている。前吹出口と吹出口６との切り換えはダンパによって行われる。
【００２６】
ファン４から吹出口６に至る送風路２７が形成される。ケーシング２１の外壁は、らせん状に湾曲して形成され、ケーシング２１は、送風路２７の一部を構成する。
【００２７】
ケーシング２１内での送風路２７が湾曲しているため、開口部２８から吹き出される風の流れ方向は、風量によって変化する。例えば、図８に示すように、ファン４の回転数が低いとき、ファン４から吹き出される風量が少なく、風はファン４の半径方向に吹き出される。そして、風は、送風路２７を形成する壁面に向かって流れ、その壁面に当たり、そのまま壁面に沿って送風路２７の開口部２８に向かって流れ、斜め上方に吹き出る。ファン４の回転数が高くなると、ファン４から吹き出される風量が多くなり、風はファン４外周の接線方向に吹き出される。そして、風は、そのまま送風路２７の開口部２８に向かって流れ、上方に吹き出る。すなわち、送風路２７内を流れる風量が増えるにつれて、開口部２８における風の流れ方向は、開口部２８において、斜め上方向から上方向に徐々に変化する。
【００２８】
イオン発生装置７は、イオン発生素子２０と、イオン発生素子２０に高電圧を供給する電圧印加回路と、これらを収納するケーシング２１とから構成される。イオン発生素子２０は、送風路２７に面して設けられ、ケーシング２１の開口部２８と吹出口６との間に配置されている。イオン発生素子２０は、送風路２７に対して移動自在とされ、図５に示すように、送風路２７の壁面に直交する軸周りに回動する。
【００２９】
イオン発生素子２０は、図６に示すように、誘電体の表面に設けられた放電電極４４と、放電電極４４に電力を供給するための放電電極接点と、誘電体の内部に埋設されかつ放電電極４４と平行に設けられた誘導電極４６と、誘導電極４６に電力を供給するための誘導電極接点と、抵抗を溶着する抵抗接点を有している。
【００３０】
誘電体の材料について、有機物としては、耐酸化性に優れた材料が用いられる。例えばポリイミド又はガラスエポキシ等の樹脂を使用できる。また、無機物としては、純度の高いアルミナ、結晶化ガラス、フォルステライト、ステアタイト等のセラミックが使用される。耐食性の面を考えれば、無機系の材料が適している。更に成形性や後述する電極の構成の容易性を考えれば、セラミックを用いて成形するのが好適である。また、材料内部の密度ばらつきが少なく、誘電体の絶縁率が均一であると、放電電極４４と誘導電極との間の絶縁抵抗が均一となる。
【００３１】
誘電体は、円板や楕円板、多角形板等の他の形状であってもよく、更には円柱状であってもよい。生産性を考えると板状とするのが好適である。この板状としては、円板状および直方体状のいずれをも含む。なお、誘電体は、２枚の板を積層して形成される。誘電体の表面は平坦とされ、この面が送風路２７に面する放出面２２とされる。
【００３２】
放電電極４４は、導電性を有する金属等の導電材料からなる。このとき、放電によって溶融する等の変形を起こさないものであることが条件となる。放電電極４４は、放出面２２に形成される。放出面２２より誘導電極４６側に放電電極４４を設ける場合、表面からの深さを均一とし、あるいは放出面２２より突出して放電電極４４を設ける場合、厚みを均一とする。
【００３３】
放電電極４４は、図６に示すように、格子状とされ、放出面２２の長手方向（所定方向）に沿って配列される。これによって、放電パターンは所定方向に形成される。なお、放電電極４４は、面状、格子状、線状等の何れの形状であってもよい。また、線状のように電界の集中が起こりやすい形状にすれば、放電電極４４と誘導電極４６との間に印加する電圧が低くても放電させることができる。
【００３４】
誘導電極４６は、放電電極４４と同様、導電性を有する材料からなる。また、放電電極４４と誘導電極４６との間の絶縁抵抗を均一にするため、誘導電極４６は、放電電極４４と平行とする。すなわち、誘電体の内部において、誘導電極４６は、放電電極４４と対向させて平行に配置し、放電電極４４と誘導電極４６との距離（以下、電極間距離とする。）が一定になるように設ける。これにより、放電電極４４と誘導電極４６との間の放電状態が安定し、正イオンおよび負イオンを効率よく発生させることができる。
【００３５】
放電電極接点は、放電電極４４と導通する接点であり、この放電電極接点に銅線、アルミ線等のリード線の一端を結線し、リード線の他端は電圧印加回路の接点に接続される。誘導電極接点は、誘導電極４６と導通する接点であり、この誘導電極接点に銅線等からなるリード線の一端を結線し、リード線の他端は電圧印加回路の接点に接続される。
【００３６】
イオン発生素子２０を回動するための回動機構が設けられる。回動機構は、図５に示すように、イオン発生装置２０のケーシング２１が取り付けられた回動板２３と、回動板２３を回動させる回動モータ２４を備え、ファン４の開口部２８から吹出口６に至る送風路２７の外側に配される。回動板２３は、扇状に形成され、その中心側の支軸がキャビネット１内部に回動自在に支持されている。回動板２３の先端側には、波形状のラック２５が形成される。回動モータ２４は、制御性を重視した直流モータを使用される。回動モータ２４の軸の先端には、ピニオンギア２６が取り付けられている。
【００３７】
回動板２３のラック２５と回動モータ２４のピニオンギア２６とが噛合うように配置されている。回動モータ２４の駆動により、回動板２３が回動する。ケーシング２１が回動して、イオン発生素子２０が支軸周りに回動することにより、イオン発生素子２０の位置が変化する。
【００３８】
操作部９には、運転切換ボタン、切タイマボタン、表示ランプおよびリモコンからの信号を受ける受光部が設けられている。表示ランプは、切タイマ表示ランプ、自動運転ランプ、花粉運転ランプ、風量ランプから構成されている。リモコンにも操作部９と同様に運転切換ボタンが設けられている。
【００３９】
運転切換ボタンは、運転を『入／切』するものであり、このボタンを押すと、運転を開始し、『自動運転』モードでの運転になり、『自動運転ランプ』が点灯する。運転切換ボタンを押すごとに、『自動運転』⇒『静音運転』⇒『急速運転』⇒『花粉運転』⇒『１５分間運転』⇒『自動運転』と順々に運転モードが切換わる。これに合わせて表示ランプも、『自動運転ランプ』⇒『静音ランプ』⇒『中〜強〜急速運転ランプ』⇒『花粉運転ランプ』⇒『１５分間運転ランプ』⇒『自動運転ランプ』と運転モードに応じて消灯、点灯が切換わる。
【００４０】
切タイマボタンは、運転を自動的に停止させるために運転時間の設定を行うものである。切タイマボタンを押すごとに、『１時間』⇒『４時間』⇒『８時間』⇒『取消し』⇒『１時間』と設定時間が切換わる。これに応じて、表示ランプも『１時間ランプ』⇒『４時間ランプ』⇒『８時間ランプ』⇒『消灯』⇒『１時間ランプ』と切換わる。タイマにより設定された時間が経過すると、運転は停止する。
【００４１】
空気清浄機は、操作部９および検出センサ３６からの入力に応じて空気清浄機の運転を制御する制御部３０を備えている。制御部３０は、マイコン等から構成され、図７に示すように、電圧印加回路３１、ファンモータ５、リモコン受信回路３３、回動モータ２４、検出センサ３６が接続されている。また、空気清浄機は、電源回路、電源クロック回路を備えている。
【００４２】
電圧印加回路３１は、制御部３０からの指令により、クラスターイオン自動、クリーン、イオンコントロール、クラスターイオン切の各イオン運転モードに応じて、各電極に高電圧を印加する。制御部３０は、入力された運転モードに応じてファンモータ５の回転を制御する。
【００４３】
すなわち、運転モードが静音、弱、中、強の複数段階の強さとなるように送風機の回転数が設定されており、ファンモータ５は、制御部３０からの指令に応じて設定された回転数で駆動され、回転数が低いほど風量は少なく、また騒音も低い。逆に回転数が高いと、風量は多く、騒音が大きくなる。
【００４４】
リモコン受信回路３３は、リモコンから送られてきた赤外線信号を受光ユニットにより受信して、Ｈｉｇｈ信号またはＬｏｗ信号に変換し、制御部３０に出力する。
【００４５】
制御部３０は、運転モードに応じて回動モータ２４を駆動する。イオン発生素子２０の放電パターンの長手方向と、送風路２７内を流れる風の流れ方向とが直交するように、イオン発生素子２０の回動位置が各風量（静音、弱、中、強）に応じて設定されている。すなわち、入力された運転モードに合わせて、イオン発生素子２０の位置が可変する。制御部３０は、回動モータ２４の回転数によりイオン発生素子２０の位置を検出しており、常に現在の位置を認識している。なお、位置センサを設けてイオン発生素子２０の位置を検出してもよい。
【００４６】
次に、各運転モードによる開口部２８における風の流れ方向を説明する。図８（ａ）に示すように、運転モードが強の場合、風の流れ方向は上向きであるので、イオン発生素子２０の長手方向が開口部２８と平行となるように位置する。運転モードが中の場合は、同図（ｂ）に示すように、強の場合に比べて風の流れ方向が若干傾いている。イオン発生素子２０は、その傾きに合わせて向きを変え、イオン発生素子２０の放電パターンが風の流れ方向と直交するような位置となる。
【００４７】
さらに、運転モードが弱、静音となるにつれて、同図（ｃ）、（ｄ）に示すように、開口部２８での風の流れ方向は、斜め上向きに近づいていく。イオン発生素子２０は、その風の流れ方向に合わせて向きを変える。
【００４８】
検出センサ３６は、発光素子と受光素子の組み合わせた光センサや赤外線等の光や超音波等の非接触センサであって、室内の埃の量や人の有無、動き、距離等を検出する。検出センサ３６の検知信号は、制御部３０に入力され、制御部３０は、検知信号に基づいて人の有無、動き、位置を判断して、運転モードを変える。
【００４９】
各運転モードにおいて、自動運転モードは、検出センサ３６が検知した結果に応じて、運転モードを強〜弱・静音に自動的に切り換える。花粉運転モードは、運転モードが強の運転を一定時間した後、運転モードを弱、強にした運転を一定時間繰り返す。１５分間運転モードは、運転モードが強の運転を一定時間した後、その後は自動運転をする。
【００５０】
上記構成の空気清浄機の運転動作を説明する。操作部９の運転切換ボタンにより自動運転モードを選択して、運転を開始すると、制御部３０は、検出センサ３６の出力に基づいて空気の汚れを判断し、予め設定した汚れ度、人の有無に応じて、運転モードを設定して、送風機を駆動する。
【００５１】
室内の空気が、送風機により前面吸込口１１や側面吸込口１２から吸い込まれる。プレフィルタにより、室内から吸い込んだ空気中の塵や埃の大きいものが捕集され、さらに脱臭フィルタにより、プレフィルタを通過した空気の臭いの成分であるアセトアルデヒド、アンモニア、酢酸などが吸着され、最後に集塵フィルタにより、プレフィルタや脱臭フィルタを通過した空気中の微細な塵や埃が捕集される。
【００５２】
プレフィルタ、脱臭フィルタ、集塵フィルタの３種類のフィルタ３を通過した空気は、臭いや塵、埃のない清浄な空気となって、送風機により吹出口６から室内に放出される。
【００５３】
自動運転スタートと同時に、制御部３０は、運転モードの出力に基づいて、イオン発生素子２０の位置を変える。送風路２７を流れる風は、イオン発生素子２０の放出面２２に対して一定方向、すなわち、所定方向の放電パターンに対して直交するように流れる。イオン発生素子２０から発生するイオンは、効率よく払拭して運び去される。空気中にイオンを多く吹き出すことができ、空気中におけるイオンが増加して殺菌効果が高まる。
【００５４】
〔第２実施形態〕
次に、本発明のイオン発生機能付電気機器の第２実施形態であるイオン発生装置を搭載した空気清浄機の実施形態を説明する。
【００５５】
本空気清浄機では、図９に示すように、イオン発生装置７を固定して、可変手段として、風の流れを規制する規制部材６１が設けられる。規制部材６１は、運転モードに関係なく、イオン発生装置７に対して一定方向から風が流れるように風を規制する。その他の構成は、第１実施形態の構成と同様である。
【００５６】
イオン発生装置７は、長手方向が水平となるように配される。規制部材はイオン発生装置７よりも風の流れ方向上流側にあり、ケーシング２１の開口部２８に配置される。
【００５７】
規制部材６１は、送風路２７の壁面に形成された風向板である。複数の風向板６１は、イオン発生装置７の長手方向に対して直交するように配列される。そして、長手方向中心寄りの風向板６１は、外側寄りの風向板６１よりも上下方向に長い。すなわち、斜め上向きに流れる風が当たるように各風向板６１の長さが設定される。
【００５８】
図１０に示すように、運転モードに応じて風量が変わり、風の流れも変わる。ファン４から吹き出された風は、風向板６１に当たり、そのまま風向板６１に沿ってイオン発生装置７に向かって流れる。イオン発生素子２０の所定方向の放電パターンに対して風の流れが直交する。風は、発生するイオンを効率よく払拭して運び去り、空気中にイオンが多く吹き出される。したがって、空気中におけるイオンが増加して殺菌効果が高まる。
【００５９】
なお、本発明は、上記実施形態に限定されるものではなく、本発明の範囲内で修正・変更を加えることができるのは勿論である。上記実施形態では、空気清浄機に本発明を適用した例を示したが、電気機器として、空気調和機、除湿機、加湿器、冷蔵庫、ファンヒータ等があり、これらに本発明を適用可能である。特に家屋の室内、ビル内の一室、病院の病室若しくは手術室、車内、飛行機内、船内、倉庫内等に用いられる空気調節装置に好適である。
【００６０】
また、運転モードから風の流れ方向を想定してイオン発生素子を回動しているが、送風路中に風の流れ方向を検知するセンサを設け、そのセンサからの検出結果に基づいて回動してもよい。また、イオン発生装置は、複数のイオン発生素子を備え、各イオン発生素子が独立して回動しても良い。さらに、吹出口が複数あるとき、各吹出口に至るように送風路が分岐しているとき、吹出口の切り替えに応じてイオン発生素子を移動させてもよい。
【００６１】
また、規制部材は、移動自在に設けられ、前記規制部材は、イオン発生素子に向かって風が流れるように、風の流れ方向の変化に応じて向きを変えるようにしても良い。例えば、送風路が２つ以上あり、夫々の送風路上にイオン発生素子を配した場合、夫々の送風路において規制部材を設ける。規制部材は、一方の送風路の風の流れを遮断したり、他の送風路に風が流れるようにする。
【図面の簡単な説明】
【００６２】
【図１】本発明の空気清浄機の平面図
【図２】空気清浄機の正面図
【図３】空気清浄機の断面図
【図４】第１実施形態の遠心ファンの内部構造を示す図
【図５】第１実施形態のイオン発生素子の回動機構詳細図
【図６】第１実施形態のイオン発生素子の外観図
【図７】第１実施形態の空気清浄機の制御ブロック図
【図８】第１実施形態の各運転モード時の風向きとイオン発生素子の向きを示す図
【図９】第２実施形態の規制部材の構詳細図
【図１０】第２実施形態の各運転モード時の風向きとイオン発生素子の向きを示す図
【符号の説明】
【００６３】
１    キャビネット
３    フィルタ
４    ファン
５    ファンモータ
６    吹出口
７    イオン発生装置
９    操作部
２０  イオン発生素子
２１  ケーシング
２２  放出面
２３  回動板
２４  回動モータ
２５  ラック
２６  ピニオンギア
２７  送風路
２８  開口部
３０  制御装置
３６  検出センサ
４４  放電電極
４６  誘電電極
６１  風向板
【図１】
2007029497.tif 000003
【図２】
2007029497.tif 000004
【図３】
2007029497.tif 000005
【図４】
2007029497.tif 000006
【図５】
2007029497.tif 000007
【図６】
2007029497.tif 000008
【図７】
2007029497.tif 000009
【図８】
2007029497.tif 000010
【図９】
2007029497.tif 000011
【図１０】
2007029497.tif 000012